(57)【要約】【課題】本開示は、複数機器間で同態様の初期画面を表示している場合において、効率的に画面排他制御を行うことが可能な表示制御装置を提供することを目的とする。【解決手段】本開示における表示制御装置２００は、外部装置３００からの画像を入力する入力部２０７と、複数の表示領域を持つ画面であって表示領域の部分毎に使用者の操作による選択が可能であり入力部２０７より入力した入力画像、および、入力画像以外の画像のいずれか一方が配置可能な第１のホーム画面を出力する出力部２０３と、出力部２０３からの画像を表示画面に表示する表示部２１０と、入力部２０７により入力した入力画像が第１のホーム画面と同態様の第２のホーム画面であるか否かに応じて、出力部２０３に対して、第２のホーム画面を出力させるか、または第１のホーム画面を出力させるかを制御する制御部２０４を備える。【選択図】図１
2015146540.tif 000002
【特許請求の範囲】
【請求項１】
複数の表示領域を有し、前記表示領域毎に表示する画像信号の選択が可能な第１の画面状態を備える第１の画像信号と、表示する画像信号の選択が可能な一つの表示領域からなる第２の画面状態を備える第２の画像信号とを表示する表示部と、
前記第１の画面状態を備える第３の画像信号または前記第２の画面状態を備える前記第４の画像信号を外部から入力する入力部と、
放送波やインターネットから放送波を受信する受信部と、
通信ネットワークからアプリケーションプログラムを受信する通信部と、
前記放送波や前記アプリケーションプログラムなどを記録する記憶部と、
前記受信部からの信号と、前記通信部からの信号と、前記記憶部からの信号から構成する前記第１の画面状態を備える第５の画像信号、または前記第２の画面状態を備える第６の画像信号を作りだす制御部と、
前記入力部から出力された前記第３の画像信号または前記第４の画像信号と、前記制御部から出力された前記第５の画像信号または前記第６の画像信号とを組み合わせて前記表示部に出力する出力部とを備え、
前記制御部は、前記制御部から前記出力部に前記第５の画像信号が入力される時は前記入力部から出力される第４の画像信号を組み合わせ、前記制御部から前記出力部に前記第６の画像信号が入力される時は前記入力部から出力される第３の画像信号または前記第４の画像信号を組み合わせるように前記出力部を制御することを特徴とする表示制御装置。
【請求項２】
複数の表示領域を有し、前記表示領域毎に表示する画像信号の選択が可能な第１の画面状態を備える第１の画像信号と、表示する画像信号の選択が可能な一つの表示領域からなる第２の画面状態を備える第２の画像信号とを表示する表示部と、
前記第１の画面状態を備える第３の画像信号または前記第２の画面状態を備える前記第４の画像信号を外部から入力する入力部と、
放送波やインターネットから放送波を受信する受信部と、
通信ネットワークからアプリケーションプログラムを受信する通信部と、
前記放送波や前記アプリケーションプログラムなどを記録する記憶部と、
前記受信部からの信号と、前記通信部からの信号と、前記記憶部からの信号から構成する前記第１の画面状態を備える第５の画像信号、または前記第２の画面状態を備える第６の画像信号を作りだす制御部と、
前記入力部から出力された前記第３の画像信号または前記第４の画像信号と、前記制御部から出力された前記第５の画像信号または前記第６の画像信号とを組み合わせて前記表示部に出力する出力部とを備える表示制御装置と、
前記第３の画像信号または前記第４の画像信号を前記表示制御装置の前記入力部に出力する外部装置とを含む表示制御システムであって、
前記表示制御装置の前記制御部は、前記制御部から前記出力部に前記第５の画像信号が入力される時は前記入力部から出力される第４の画像信号を組み合わせ、前記制御部から前記出力部に前記第６の画像信号が入力される時は前記入力部から出力される第３の画像信号または前記第４の画像信号を組み合わせるように前記出力部を制御することを特徴とする表示制御システム。
【請求項３】
複数の表示領域を有し、前記表示領域毎に表示する画像信号の選択が可能な第１の画面状態を備える第１の画像信号と、表示する画像信号の選択が可能な一つの表示領域からなる第２の画面状態を備える第２の画像信号とを表示する表示部と、
前記第１の画面状態を備える第３の画像信号または前記第２の画面状態を備える前記第４の画像信号を外部から入力する入力部と、
放送波やインターネットから放送波を受信する受信部と、
通信ネットワークからアプリケーションプログラムを受信する通信部と、
前記放送波や前記アプリケーションプログラムなどを記録する記憶部と、
前記受信部からの信号と、前記通信部からの信号と、前記記憶部からの信号から構成する前記第１の画面状態を備える第５の画像信号、または前記第２の画面状態を備える第６の画像信号を作りだす制御部と、
前記入力部から出力された前記第３の画像信号または前記第４の画像信号と、前記制御部から出力された前記第５の画像信号または前記第６の画像信号とを組み合わせて前記表示部に出力する出力部とを備える表示制御装置と、
前記第３の画像信号または前記第４の画像信号を前記表示制御装置の前記入力部に出力する外部装置とを含む表示制御システムであって、
前記表示制御装置の前記制御部は、前記制御部から前記出力部に前記第５の画像信号が入力され、前記外部装置から前記入力部に前記第３の画像信号が入力される場合に、前記外部装置に前記第３の画像信号に換えて前記第４の画像信号を出力するように制御信号を出力することを特徴とする表示制御システム。
【請求項４】
複数の表示領域を有し、前記表示領域毎に表示する画像信号の選択が可能な第１の画面状態を備える第１の画像信号、または表示する画像信号の選択が可能な一つの表示領域からなる第２の画面状態を備える第２の画像信号を外部から入力するステップと、
入力されるまたは記録部に記録されている、放送波、データ、アプリケーションを用いて前記第１の画面状態を備える第３の画像信号、または放送波、データ、アプリケーションを表示する前記第２の画面状態を備える第４の画像信号を構成していずれかの画像信号を出力部に出力するステップと、
前記出力部に前記第３の画像信号を出力する場合に、前記出力部で前記第３の画像信号と前記第２の画像信号から構成する画像信号を表示部に出力し、前記出力部に前記第４の画像信号を出力する場合に、前記出力部で前記第４の画像信号と前記第１の画像信号から構成する画像信号、または前記出力部で前記第４の画像信号と前記第２の画像信号から構成する画像信号を前記表示部に出力するステップと、
を備える表示制御方法。
【発明の詳細な説明】
【技術分野】
【０００１】
本開示は、放送された画像の出力が可能な表示制御装置と表示制御方法、または表示制御システムに関するものである。
【背景技術】
【０００２】
特許文献１には、画像表示装置であるテレビジョン受信機（以下、テレビと記す）に情報を表示する情報表示装置を開示している。この情報表示装置は、電源がオンされた時に、前回の電源オフ時に視聴していたチャンネルを初期画面として表示する。また、この情報表示装置は、初期画面の表示後に、ユーザ操作に応じて、複数のアイコンを示すＧＵＩ（Ｇｒａｐｈｉｃａｌ  ＵＳｅｒ  Ｉｎｔｅｒｆａｃｅ）画面を表示する。これにより、この情報表示装置は、ユーザに選択されたアイコンに応じたデータ表示等の処理を実行することができる。
【０００３】
特許文献２には、インタフェースを介して供給装置から供給される複数のコンテンツデータの映像を、表示画面を複数に分割した各領域に同時に表示させる映像や文字データを表示する表示装置において、複数の供給装置から供給された複数のコンテンツデータの映像が同時に表示されていることを検知した場合に、コンテンツデータの表示の重畳を中止させる表示装置が記載されている。
【先行技術文献】
【特許文献】
【０００４】
【特許文献１】特許第４０５２８０２号公報
【特許文献２】特許第５１０５１７１号公報
【発明の概要】
【発明が解決しようとする課題】
【０００５】
表示画面に、放送局から受信した画像信号と１または複数の供給装置から入力する画像信号やデータを同時に表示する場合に、テレビと供給装置の間、または複数の供給装置間においてそれぞれの出力信号の表示状態の配慮がなされていない。例えば、テレビの親画面に供給装置から入力される画像信号を表示し、この親画面の周辺の子画面にはテレビが受信する放送局からの画像信号が表示されている時に、供給装置の出力する画像信号も同一画面に複数の画面を表示する形態に切り替えたとき、親画面の中に、供給装置から出力される複数の画面が表示され、テレビの画像信号が表示される子画面と、親画面のなかの供給装置が出力する複数の画面とが表示され、視聴者は相当見づらくなる。
また、一つの画面上に表示される画面数が増えるため、画面を指定するためのアイコンが、テレビのものか供給装置のものなのかがわからなくなる。
【０００６】
本開示は、複数機器間で同じ態様の初期画面を表示している場合において、効率的に画面排他制御を行うことが可能な表示示制御装置および出力制御装置を提供することを目的とする。
【課題を解決するための手段】
【０００７】
本開示は、視聴者に見やすく、操作しやすい画面を提供することを可能とする表示制御システム、表示制御装置および表示制御方法を提供する。
【０００８】
表示制御装置は、複数の表示領域を有し、表示領域毎に表示する画像信号の選択が可能な第１の画面状態を備える第１の画像信号と、表示する画像信号の選択が可能な一つの表示領域からなる第２の画面状態を備える第２の画像信号とを表示する表示部と、第１の画面状態を備える第３の画像信号または第２の画面状態を備える第４の画像信号を外部から入力する入力部と、放送波やインターネットから放送波を受信する受信部と、通信ネットワークからアプリケーションプログラムを受信する通信部と、放送波やアプリケーションプログラムなどを記録する記憶部と、受信部からの信号と、通信部からの信号と、記憶部からの信号から構成する第１の画面状態を備える第５の画像信号、または第２の画面状態を備える第６の画像信号を作りだす制御部と、入力部から出力された第３の画像信号または第４の画像信号と、制御部から出力された第５の画像信号または第６の画像信号とを組み合わせて前記表示部に出力する出力部とを備え、制御部は、制御部から出力部に第５の画像信号が入力される時は入力部から出力される第４の画像信号を組み合わせ、制御部から出力部に前記第６の画像信号が入力される時は入力部から出力される第３の画像信号または第４の画像信号を組み合わせるように出力部を制御する。
表示制御システムは、複数の表示領域を有し、表示領域毎に表示する画像信号の選択が可能な第１の画面状態を備える第１の画像信号と、表示する画像信号の選択が可能な一つの表示領域からなる第２の画面状態を備える第２の画像信号とを表示する表示部と、第１の画面状態を備える第３の画像信号または第２の画面状態を備える第４の画像信号を外部から入力する入力部と、放送波やインターネットから放送波を受信する受信部と、通信ネットワークからアプリケーションプログラムを受信する通信部と、放送波やアプリケーションプログラムなどを記録する記憶部と、受信部からの信号と、通信部からの信号と、記憶部からの信号から構成する第１の画面状態を備える第５の画像信号、または第２の画面状態を備える第６の画像信号を作りだす制御部と、入力部から出力された第３の画像信号または第４の画像信号と、制御部から出力された第５の画像信号または第６の画像信号とを組み合わせて表示部に出力する出力部とを備える表示制御装置と、第３の画像信号または第４の画像信号を表示制御装置の入力部に出力する外部装置とを含み、表示制御装置の制御部は、制御部から出力部に第５の画像信号が入力される時は入力部から出力される第４の画像信号を組み合わせ、制御部から出力部に第６の画像信号が入力される時は入力部から出力される第３の画像信号または第４の画像信号を組み合わせるように出力部を制御する。
または表示制御システムの表示制御装置の制御部は、制御部から出力部に第５の画像信号が入力され、外部装置から入力部に第３の画像信号が入力される場合に、外部装置に第３の画像信号に換えて第４の画像信号を出力するように制御信号を出力する。
表示制御方法は、複数の表示領域を有し、表示領域毎に表示する画像信号の選択が可能な第１の画面状態を備える第１の画像信号、または表示する画像信号の選択が可能な一つの表示領域からなる第２の画面状態を備える第２の画像信号を外部から入力するステップと、入力されるまたは記録部に記録されている、放送波、データ、アプリケーションを用いて第１の画面状態を備える第３の画像信号、または放送波、データ、アプリケーションを表示する第２の画面状態を備える第４の画像信号を構成していずれかの画像信号を出力部に出力するステップと、出力部に第３の画像信号を出力する場合に、出力部で第３の画像信号と前記第２の画像信号から構成する画像信号を表示部に出力し、出力部に第４の画像信号を出力する場合に、出力部で第４の画像信号と第１の画像信号から構成する画像信号、または出力部で第４の画像信号と第２の画像信号から構成する画像信号を表示部に出力するステップを備える。
【発明の効果】
【０００９】
本開示における表示制御装置、表示制御システムおよび表示制御方法によれば、複数機器間で同態様の画面状態の画面を表示するように設定された場合でも、いずれかの画面状態を排他的に表示することができ、見やすく、操作性のよい画面の配置を提供することができる。
【図面の簡単な説明】
【００１０】
【図１】本開示の一実施の形態である表示制御システムの構成を示すブロック図
【図２】同表示制御システムの表示部に表示されるホーム画面の一例を示す図
【図３】同表示制御システムの表示部を使ってホーム画面排他制御処理の概念を示す図
【図４】同表示制御システムの表示制御装置における第一の画面排他制御処理を説明するためのフローチャートを示す図
【図５】同表示制御システムの表示制御装置における他の画面排他制御処理を説明するためのフローチャートを示す図
【図６】同表示制御システムの外部装置における第一の画面排他制御処理を説明するためのフローチャートを示す図
【図７】同表示制御システムの外部装置における他の画面排他制御処理を説明するためのフローチャートを示す図
【発明を実施するための形態】
【００１１】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、本実施の形態は、当業者が本開示を十分に理解するために添付図面および以下の説明を提供するのであって、これらによって特許請求の範囲に記載の主題を限定することを意図するものではない。
【００１３】
（実施の形態１）
以下、図１〜図５を用いて、本開示の第１の実施の形態を説明する。
まずは表示制御システムの構成について図面を用いて説明する。
【００１４】
図１は、本実施の形態１における表示制御システムの構成の一例を示すブロック図である。表示制御システム１００は、表示装置の一例であるテレビジョン受信機（以下、ＴＶ受信機と記す）２２０と、例えばブルーレイディスクレコーダなどの出力制御装置である外部装置３００から構成される。ＴＶ受信機２２０と外部装置３００は、例えば、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）ケーブルであるデジタル信号ケーブル４００で接続されている。
【００１５】
まずはＴＶ受信機２２０の構成を説明する。ＴＶ受信機２２０は、表示制御装置２００と表示部２１０とを備える。またＴＶ受信機２２０は、ユーザが操作するリモコン（図示せず）からの信号に従ってチャンネルの切り替え等の動作を実行することができる。具体的には、リモコンは複数のキーを有し、ユーザによって押下されたキーに応じた指示を示す信号を、例えば赤外線でＴＶ受信機２２０に送信する。なお、リモコンとＴＶ受信機２２０との間の通信方式には特に限定はなく、例えば、Ｂｌｕｅｔｏｏｔｈ（登録商標）等の無線通信によってリモコンとＴＶ受信機２２０との間で双方向通信が行われてもよい。また、リモコンは複数のキーを有するもの以外に、タッチパッド等のポインティングデバイスを有するリモコンであってもよい。あるいは、ＴＶ受信機２２０を操作可能なアプリケーションプログラムが搭載されたスマートフォンであってもよい。
【００１６】
ＴＶ受信機２２０は、図１に示す機能ブロック以外に、スピーカ等の、テレビ受像機として備えるべき他の構成要素も備えているが、本開示の内容を明確に説明するために、これら他の構成要素についての図示および説明は省略する。
【００１７】
表示制御装置２００は、図１に示すように、受信部２０１と、通信部２０２と、出力部２０３と、制御部２０４と、記憶部２０５と、入力受付部２０６と、入力部２０７とを備える。受信部２０１は、ＴＶ受信機２２０のチューナ（図１に図示せず）が受信する、地上波放送、衛星放送、ケーブル放送、または、インターネット放送等の放送信号を受信する。なお、受信部２０１がチューナとして機能してもよい。
【００１８】
通信部２０２は、制御部２０４からの指示に応じて、サーバ（図示せず）と通信してアプリケーションプログラムをダウンロードするための通信インタフェースである。出力部２０３は、受信部２０１、入力部２０７、制御部２０４または記憶部２０５の各々の構成部と接続しており、それぞれの構成部からの信号（アプリケーションを含む）を受信し、それらから選択して表示部２１０に出力する。出力部２０３から出力される信号には、画面状態がホーム画面も含まれる。ホーム画面については、のち程、図２を用いて詳述する。このように出力部２０３から出力されるホーム画面は、表示部２１０に表示される。
【００１９】
入力部２０７は、デジタル信号ケーブル４００により入力される外部装置からの入力画像を入力し、出力部２０３へ出力する。なお、出力部２０３は、後述の制御部２０４の指示により、受信部２０１で受信した放送信号の画像か、あるいは、入力部２０７で入力した入力画像かのどちらかの画像を選択して入力することが可能である。
【００２０】
制御部２０４は、例えば、ＣＰＵ（Ｃｅｎｔｒａｌ  ＰｒｏｃｅＳＳｉｎｇ  Ｕｎｉｔ）等のプロセッサによって実現され、リモコンを介したユーザ要求に応じて、入力部２０７、受信部２０１、通信部２０２、出力部２０３、記憶部２０５を制御する。例えば、通信部２０２または記憶部２０５からホーム画面を構成するアプリケーションプログラムをダウンロード処理（アプリケーションダウンロード処理）による取得し、入力部２０７、受信部２０１、または記憶部２０５からの画像信号からホーム画面を作成し、出力部２０３へ出力し、画面排他処理を実行する。画面排他処理については、後程、図３、図４を用いて詳述する。
【００２１】
記憶部２０５は、各種情報を格納する記憶装置である。通信部２０２から制御部２０４を介してアプリケーションや画像情報や、また受信部２０１からの放送信号やデータ信号等が記憶される。なお、記憶部２０５は、表示制御装置２００に備えられていなくてもよい。例えば表示制御装置２００の外部のＨＤＤ（Ｈａｒｄ  ＤｉＳｋ  Ｄｒｉｖｅ）またはフラッシュメモリ等の半導体メモリが、記憶部２０５として扱われてもよい。また、表示制御装置２００の内部または外部に備えられたＲＡＭ（Ｒａｎｄｏｍ  ＡｃｃｅＳＳ  Ｍｅｍｏｒｙ）等のメモリが、記憶部２０５として扱われてもよい。入力受付部２０６は、ユーザが操作するリモコンからの信号を受信し、指示の内容を制御部２０４に送信する。
【００２２】
次に外部装置３００の構成を説明する。外部装置３００の構成は表示制御装置２００の構成と類似しており、受信部３０１、通信部３０２、出力部３０３、制御部３０４、記憶部３０５、入力受付部３０６を備え、表示制御装置２００が備える入力部２０７は外部装置３００には備わっていない構成である。ただし、入力部２０７が外部装置３００に存在しても本実施の形態の動作には影響を与えない。また、各装置の構成においては記した符号が異なっているが、同じ名称が記されているものは同じ機能を有するものとする。ただし、外部装置３００の備える出力部３０３は、受信部３０１で受信した放送画像信号を、デジタル信号ケーブル４００を介して表示制御装置２００の入力部２０７へ入力可能な信号フォーマット（例えばＨＤＭＩ方式）に変換して出力する。
制御部３０４も表示制御装置２００の制御部２０４と同様に、例えばＣＰＵ（Ｃｅｎｔｒａｌ  ＰｒｏｃｅＳＳｉｎｇ  Ｕｎｉｔ）等のプロセッサによって実現され、受信部３０１、通信部３０２、出力部３０３、記憶部３０５を制御し、制御部２０４と同様に、複数の画像信号からホーム画面を作成し、出力部３０３へ出力することも可能であり、単一の画像信号が表示される画面状態の画像信号を出力部３０３へ出力することも可能である。さらに制御部３０４は、出力部３０３から複数の画像領域からなるホーム画面または単一の画像領域からなる画面のいずれかを出力するように出力部３０３を制御する。
続いて、表示制御システムにおけるホーム画面の構成について説明する。ＴＶ受信機２２０の表示部２１０に映し出されるホーム画面５００を図２に記す。本実施の形態におけるホーム画面とは、表示部２１０が複数の表示領域に分けられ、それぞれの表示領域毎に映像が表示されている状態の画面をいう。図２が示すように、本実施の形態では表示部２１０の左上の最も大きい表示領域に、表示画面（以下、メイン画面と記す）５０１が配置され、残りの表示領域に大きさの等しい７つの表示画面（以下、サブ画面と記す）５０２のそれぞれが配置されている。
メイン画面５０１、サブ画面５０２の数や表示領域の大きさには制限が無く、少なくとも１つのメイン画面５０１と、少なくとも１つのサブ画面５０２が、同時に表示部２１０に表示されていればよい。表示部２１０の画面の配置は制御部２０４によって決定され、その決定に応じて画像信号が出力部２０３から表示部２１０に出力される。また、ホーム画面のメイン画面５０１、サブ画面５０２のいずれも、使用者の操作により入力部２０７、受信部２０１、通信部２０２または記憶部２０５からの動画や静止画、データなどを含む画像信号を選択することが可能で、例えば入力部２０７から入力する画像信号がメイン画面５０１に、この入力部２０７から受信する画像信号以外の画像信号がサブ画面５０２に表示される。
ホーム画面５００は、ＴＶ受信機２２０の起動時に表示される画面として機能するほか、リモコンの所定操作によって表示可能なデフォルトの画面としても機能する。このようなホーム画面５００では、表示制御装置２０１の受信部２０１により受信した放送画像信号、または入力部２０７から入力される外部装置３００から入力される画像信号が、メイン画面５０１とサブ画面５０２のいずれかに表示されている。
【００２３】
本実施の形態では、外部からの入力される信号を優先してメイン画面５０１に表示するように設定されているので、メイン画面５０１には表示制御装置２００の入力部２０７から入力された外部装置３００からの画像信号である再生映像（動画像）が表示され、メイン画面５０１以外のサブ画面５０２のそれぞれには、アプリ画像が表示される。アプリ画像とは、例えば表示制御装置２００が実行可能なアプリケーションプログラム（以降、アプリと記す）に対応付けられた画像である。つまりサブ画面５０２には、アプリが実行されることで表示されるアプリ画像や、アプリの起動のためのアイコンや、アプリに処理されるデータに対応するアイコン、または所定のＷｅｂサイトに対応するＷｅｂクリップアイコン（以下、アイコンと記す）などが表示される。これらの画像やアイコンを、以下ではまとめてアプリ画像と記載する。
複数のサブ画面５０２に表示するアプリ画像、およびこれらのアプリ画像のそれぞれに対応付けられたアプリは記憶部２０５に格納されており、それぞれのアプリ画像やアプリは記憶部２０５から制御部２０４により読み出され、実行される。また記憶部２０５には、メイン画面５０１に表示する放送アプリも格納され、この放送アプリが記憶部２０５から読み出されて制御部２０４に記憶され、実行されることで、メイン画面５０１の画面の拡大および縮小等の処理が実行される。
【００２４】
ＴＶ受信機２２０において、メイン画面５０１およびサブ画面５０２のそれぞれは、ユーザの操作（本実施の形態ではリモコンを用いた操作）による選択が可能である。例えば、メイン画面５０１が選択されてリモコンの決定キーが押下されることで、制御部２０４の制御によりメイン画面５０１が拡大され、表示部２１０の表示領域のほぼ全領域を用いて表示されることが可能である。つまり、メイン画面５０１は表示部２１０において全画面表示される。また他の例として、サブ画面５０２が選択されてリモコンの決定キーが押下された場合、サブ画面５０２に表示されているアプリ画像に対応付けられたアプリが実行され、アプリの処理結果等を示す画像が表示部２１０において全画面表示されるように制御部２０４が動作する。
【００２５】
なお、上述したホーム画面５００は、外部装置３００でも同様の動作で生成され、ＴＶ受信機２２０の入力部２０７に出力される。外部装置３００の制御部３０４からの信号により外部装置３００から出力する信号は、メイン画面およびサブ画面の配置や、それぞれの画面に表示する画像信号が決定されて出力される。例えば、外部装置３００から出力される画像信号は、その画面状態がホーム画面として出力されることも、通常画面として出力されることもできる。
続いて、表示制御システムの画面排他処理について図面を用いて説明する。以上のようなＴＶ受信機２２０および外部装置３００で構成される表示制御システム１００において、例えばＴＶ受信機２２０が、入力部２０７により入力された外部装置３００からの再生映像を、ホーム画面５００内のメイン画面５０１として表示するものとする。このとき、外部装置３００がホーム画面７００を出力部３０３から出力した場合、ＴＶ受信機２２０に表示される画像は、例えば図３（ａ）のような表示になってしまう現象が発生し、ユーザは視聴が困難になる。つまりホーム画面５００のメイン画面５０１に、外部装置３００からのホーム画面７００上のすべての画面（メイン画面７０１、サブ画面７０２）が表示されるので、それぞれの表示領域の大きさが小さくなり、またサブ画面７０２とサブ画面５０２の配置が同じような形状になるため、視聴者はこの状態のホーム画面５００を見るのに混乱を起こす可能性がある。
またこの現象は、ホーム画面５００内のサブ画面５０２のアプリ画像を、外部装置３００のリモコンで操作できないことや、メイン画面５０１に表示されている外部装置３００が出力するホーム画面状映像７００内のアプリ画像やメニュー画面については、ＴＶ受信機２２０のリモコンで操作ができない。
従って、表示制御装置２００がホーム画面５００を表示している場合、外部装置３００はメイン画面５０１にホーム画面７００を出力しないようにしたほうがよい。あるいは、外部装置３００がホーム画面７００を出力する場合は、表示制御装置２００はホーム画面５００を表示していない場合に限定したほうがよい。 
【００２６】
以下、外部装置３００がホーム画面７００を出力する場合は、表示制御装置２００はホーム画面５００を表示しないようにする場合についての詳細な流れについて説明する。
ここで、図１の表示制御システム１００において、表示制御装置２００と外部装置３００はデジタル信号ケーブル４００（ＨＤＭＩケーブル）で接続されている。ＨＤＭＩとは、Ｈｉｇｈ−Ｄｅｆｉｎｉｔｉｏｎ  Ｍｕｌｔｉｍｅｄｉａ  Ｉｎｔｅｒｆａｃｅ（高精細度マルチメディアインターフェース）の略で、映像・音声をデジタル信号で伝送する通信インタフェースの標準規格である。ＨＤＭＩケーブルで接続された表示制御装置２００と外部装置３００は、お互いに制御部２０４および制御部３０４とをＨＤＭＩケーブルを経由して制御信号を伝送するＣＥＣ（ＣｏｎＳｕｍｅｒ  ＥｌｅｃｔｒｏｎｉｃＳ  Ｃｏｎｔｒｏｌ）により通信している。ＣＥＣによるコマンドプロトコルの詳細な説明は省略するが、本実施の形態では、いくつかの新しいコマンドもしくはベンダーユニークなコマンドを実装しているものとする。具体的にどのコマンドが新規かについては、以下の説明の中で述べる。
図４は、表示制御装置２００の制御部２０４が実行する画面排他処理を示すフローチャートである。表示制御装置２００は、現在出力している画面が、ホーム画面か否かを示す画面状態を記憶部２０５に保持する（ステップＳ１０１）。ホーム画面でない画面状態は、例えば表示部２１０に１画面だけが表示している状態であり、この状態を通常画面と記す。        
（ステップＳ１０１）で表示部２１０の画面状態が記憶されたあと、例えば、外部装置３００の電源が投入されて起動し、外部装置３００とテレビ受信機２２０との間で機器間の連携機能が働き、表示制御装置２００に対して外部装置３００からＣＥＣによる制御信号が送られる。表示制御装置２００の制御部２０４は、この制御信号を受け、外部装置３００への入力切替指示を発生する。制御部２０４は、（ステップＳ１０２）で外部装置３００への入力切替指示を発生したことを確認したので、（ステップＳ１０３）では、制御部２０４は表示制御装置２００が表示部２１０へ出力する画像信号の画面状態を確認する。画面状態を確認するためには画面状態信号を取得する。画面状態信号は、例えばホーム画面であるのか、または通常画面であるかを示しており、画像信号とともに送信されても、単独で送信されてもよい。
現在の画面状態がホーム画面ではなく通常画面であれば、制御部２０４は（ステップＳ１０６）において、外部装置３００からの画像信号を入力部２０７から入力し、外部装置３００から出力されたままの画面状態で表示部２１０に出力し、表示する。すなわち、外部装置３００からの画像信号が通常画面であれば表示部２１０には通常画面である単一画面が表示され、また、ホーム画面であれば表示部２１０にはメイン画面とサブ画面が配列されたホーム画面が表示される。
制御部２０４が（ステップＳ１０３）において、表示制御装置２００から表示部２１０へ出力する画像信号の画面状態をホーム画面であると確認した場合は、制御部２０４は（ステップＳ１０４）において、外部装置３００から入力される画像信号の画面状態を確認する。例えば、外部装置３００の画面状態を新規（もしくはベンダーユニーク）のＣＥＣコマンドにより取得する。外部装置３００から入力される画像信号がホーム画面を出力する状態ならば、制御部２０４は、出力部２０３から表示部２１０に出力する画像信号の画面状態を、現在の画面状態であるホーム画面の出力状態から通常画面の出力状態に変更するように、出力部２０３に制御信号を出力する（ステップＳ１０５）。そして制御部２０４は入力部２０７に外部装置３００からの画像信号を入力するように制御し、出力部２０３を介して表示部２１０へ出力するように制御する（ステップＳ１０６）。出力部２０３では表示部２１０へ出力する画像信号の画面状態が通常画面に設定されているので、表示部２１０では、図３（ｂ）に示すとおり、通常画面の画面５１０に、外部装置３００から送信されるメイン画面７０１とサブ画面７０２から構成されるホーム画面７００が表示される。
一方、（ステップＳ１０４）において外部装置３００からの画像信号の画面状態がホーム画面で無く通常画面である場合は、制御部２０４は出力部２０３からの出力する画像信号の画面状態を変更する必要が無く、入力部２０７から入力する外部装置３００からの画像信号をホーム画面の出力状態の制御信号とともに表示部２１０へ出力する（ステップＳ１０６）。すると外部装置３００からの画像信号は通常画面である画面７０３を、表示制御装置２００から出力されるホーム画面５００のメイン画面５０１上に表示する。この場合、メイン画面５０１の周りの複数のサブ画面５０２には、表示制御装置２００からのアプリ画面がそれぞれ表示される。すなわち、表示部２１０には、外部装置３００からの画像信号と、表示制御装置２００からの画像信号が同時に表示されている。
このように本実施の形態では、複数の外部装置と接続される表示制御装置が、表示部に出力する画像信号を選択する際に、表示部に出力している現在の画像信号の画面状態と、次に表示部に出力する画像信号の画面表示状態を検出し、ホーム画面のメイン画面の中にホーム画面が表示することをしないように画面状態を制御することで、視聴者が見やすい画面表示を実現することができる。
なお、本実施の形態では、外部装置３００の電源起動により、入力切替指示が発生するとしたが、リモコンによるユーザ操作によって入力切替指示が発生するとしてもよい。また、（ステップＳ１０２）で外部入力指示がない場合は、現在の画面状態を維持するものとし、上述した動作を行うこと無く、現在の画像信号を、現在の画面状態で表示する。
また、本実施の形態の（ステップＳ１０４）において、外部装置３００もホーム画面を出力していると判定した場合に、ステップＳ１０５の処理に代えて表示制御装置２００が、外部装置３００に対してＣＥＣにより、ホーム画面を解除するリモコン信号に相当する制御信号を送信してもよい。この動作は図５に、図４のフローチャートの一部分を取り出し、（ステップＳ１０５）を（ステップＳ１０７）に変えて記している。この動作では、表示制御装置２００からの画像信号のホーム画面は維持しつつ、外部装置３００からの外部入力に切り替え、外部装置３００からの画像信号を表示することができる。図５の(ステップＳ１０７)を経て（ステップＳ１０６）において外部装置３００からの信号に切り替えられて時の表示部２１０には、図３（ｃ）の画面状態と同じ状態で、表示制御装置２００からの画像信号のホーム画面のメイン画面５０１に外部装置３００の画像信号が表示される。
このように、図４のフローチャートで動作である表示制御装置２００からの画像信号のホーム画面５００を優先するのか、一方、図４のフローチャートの一部を図５のフローチャートで置き換える動作を実行する外部装置３００からの画像信号のホーム画面７００を優先するのかについては、あらかじめ表示制御装置２００の初期設定で設定しておくことでいずれでも選択できる。（ステップＳ１０５）の処理で、表示制御装置２００のホーム画面を解除するのか、（ステップＳ１０７）の処理で、外部装置３００に対してホーム画面を解除する制御信号を送信するのか、選択はユーザがスイッチの切り替えができ、画像信号のジャンル、種類（映像やデータ）等で逐次選択できる。つまり表示制御装置２００側を優先する場合は（ステップＳ１０５）を、外部装置３００側を優先する場合は（ステップＳ１０７）を選択すればよい。
【００２７】
このように本開示の実施の形態１によれば、表示制御装置２００は、ＣＥＣコマンドにより、外部装置３００から出力される画像信号の画面状態を取得し、判定することにより、ホーム画面の出力を、表示制御装置２００が出力する画像信号だけ、もしくは外部装置３００が出力する画像信号だけに制御して、排他的に出力させることができる。このようにすることで、視聴者は画像信号を表示部２１０上において、見やすいホーム画面で見ることが可能になる。
【００２８】
（実施の形態２）
実施の形態１では、図１の表示制御装置２００がホーム画面の出力の排他制御を行う例を説明したが、この実施の形態では、外部装置３００がホーム画面の出力の排他制御を行う例を説明する。なお、この実施の形態における外部装置３００は、本開示における出力制御装置に相当するものである。本実施の形態のシステム構成は、実施の形態１で説明した（図１）の構成とほとんどが類似するものであるので、それぞれの構成と動作の説明は省略する。
【００２９】
図６は、制御部３０４により制御するための外部装置３００のフローチャートを示す。
まず、待機状態の外部装置３００は、リモコンからの信号を受信して電源が投入される。電源が導入された後、外部装置３００は、電源起動に必要な処理を実行する（ステップＳ２０１）。ここで外部装置３００は、出力部３０３から外部に出力する画像信号の画面状態が、ホーム画面として出力するのか通常画面として出力すのか、状態保持データとして記憶している記憶部３０５から取得する。
次に制御部３０４は、ＴＶ受信機２２０へ画像信号を出力するために、デジタル信号ケーブル４００に対するＨＤＭＩの初期化およびＨＤＭＩ上に接続されている機器の検出と状態の取得を行う（ステップＳ２０２）。本実施の形態では、外部装置３００にはＴＶ受信機２２０が接続されており、ＴＶ受信機２２０は電源が入った状態であるとする。
次に制御部３０４は、ＨＤＭＩの初期化処理のあとに（実施の形態１）と同様の手続きで、新規の（もしくはベンダーユニークの）ＣＥＣコマンドを使って表示制御装置２００の画面状態を取得する（ステップＳ２０３）。制御部３０４は、表示制御装置２００の画面状態がホーム画面であると判定した場合には、外部装置３００の出力部３０３から出力する画像信号の画面状態を判定する（ステップＳ２０４）。ここで外部装置３００から出力する画像信号の画面状態がホーム画面を出力していると判定した場合は、制御部３０４は、出力する画像信号のホーム画面状態を解除し、通常画面に切り替えるように出力部３０３に指示する。（ステップＳ２０５）。
制御部３０４は、表示制御装置２００の入力部２０７が外部装置３００からの画像信号を受信して、出力部２０３を介して表示部２１０に出力できるように、入力信号を切替えることを指示するＣＥＣコマンドを、表示制御装置２００の入力部２０７または制御部２０４に送信する（ステップＳ２０６）。すると、表示部２１０には、表示制御装置２００のホーム画面のメイン画面に、外部装置３００から入力する画像信号が通常画面で表示される。
また制御部３０４は、（ステップＳ２０４）で外部装置３００が画面状態がホーム画面でない画像信号を出力すると判定した場合は、表示制御装置２００の入力部２０７または制御部２０４に、外部装置３００からの画像信号を画面状態を保持したまま入力して表示部２１０で表示するように、ＣＥＣコマンドを送信する（ステップＳ２０６）。この場合も表示部２１０には、表示制御装置２００のホーム画面のメイン画面に、外部装置３００から入力する画像信号が通常画面で表示される。
制御部３０４は、（ステップＳ２０３）において表示制御装置２００がホーム画面を出力していないと判定した場合は、表示制御装置２００が外部装置３００からの画像信号を入力するように入力信号を切り替えるためのＣＥＣコマンドを、表示制御装置２００に送信する（ステップＳ２０６）。すなわち制御部３０４は、外部装置３００が送信する画像信号の画面状態に関わらず、表示制御装置２００を介して表示部２１０に外部装置３００の画像信号を表示するので、表示部２１０に外部装置３００からの画像信号が、通常画面で表示されるか、あるいはホーム画面で表示される。
【００３０】
以上のように制御することにより外部装置３００は、自身のホーム画面かあるいは、表示制御装置２００のホーム画面かどちらかのみを選択的に表示することができる。
【００３１】
また、図６の一部を変更した図７で記す別の実施例でも同様な効果を奏することができる。図７は図６のフローチャートの一部を抜き出し、（ステップＳ２０５）を（ステップＳ２０７）に変更したものである。（ステップＳ２０３）で表示制御装置２００がホーム画面を表示していると判定し、かつ（ステップＳ２０４）で外部装置３００もホーム画面を出力していると判定した場合に、（ステップＳ２０５）の処理に代えて、外部装置３００が表示制御装置２００に、表示制御装置２００が表示する画像信号の表示状態を、ホーム画面を解除して通常画面とするリモコン信号に相当するＣＥＣコマンドの制御信号を送信する（ステップＳ２０７）。（ステップＳ２０７）では、外部装置３００の出力する画像信号自身のホーム画面は維持しつつ、表示制御装置２００を介して表示部２１０に外部装置３００からの画像信号を表示することができる。
なお、表示制御装置側のホーム画面を優先するのか、外部装置側のホーム画面を優先するのかについての優先順位について、あらかじめ外部装置の初期設定で設定しておくことで、外部装置３００のからの画像信号のホーム画面を解除するのか（ステップＳ２０５）、表示制御装置２００からの画像信号のホーム画面を解除するのか（ステップＳ２０７）を決定してもよい。
【００３２】
以上説明した本開示の実施の形態２によれば、外部装置３００は、ＣＥＣコマンドにより、表示制御装置２００の画像信号の画面状態を取得し、判定することにより、ホーム画面の出力を、外部装置３００または表示制御装置２００のいずれかの画像信号とし、排他的に出力させることができるので、視聴者に見やすいホーム画面を提供することができる。
【００３３】
なお、本開示の（実施の形態１）で説明した表示制御装置２００と、（実施の形態２）で説明した外部装置３００とで構成された表示制御システムにおいては、互いに制御が輻輳することがないように、あらかじめどちらかの機器のホーム画面を優先するようにすべきである。この場合、どちらかの装置の本開示の機能（すなわちホーム画面の排他制御機能）を初期設定などで「切」にしておく。そうすれば、もう片方の機器側で、ホーム画面表示の排他制御を行うため、互いの装置間で制御が輻輳することは無い（各々の装置において、ホーム画面の排他制御機能の入と切があり、入のときのみ本開示の機能が有効になるとする）。
【００３４】
以上のように、本開示における技術の例示として、実施の形態を添付図面を使って詳細に説明した。添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００３５】
また、上述の実施の形態は、本開示における技術を例示するためのものであるから、特許請求の範囲またはその均等の範囲において種々の変更、置き換え、付加、省略などを行うことができる。
【産業上の利用可能性】
【００３６】
本開示は、複数機器間で同態様の初期画面を表示している場合において、効率的に画面排他制御を行うことが可能な表示制御システム、表示制御装置、および表示制御方法を提供する技術として有用である。
【符号の説明】
【００３７】
１００  表示制御システム
２００  表示制御装置
２０１、３０１  受信部
２０２、３０２  通信部
２０３、３０３  出力部
２０４、３０４  制御部
２０５、３０５  記憶部
２０６  入力受付部
２０７  入力部
２１０  表示部
２２０  テレビ
３００  外部装置
３０６  入力受付部
４００  デジタル信号ケーブル
５００  表示制御装置のホーム画面
５０１、７０１、７０３  メイン画面
５０２、７０２  サブ画像
７００  外部装置のホーム画面 
【図１】
2015146540.tif 000003
【図４】
2015146540.tif 000004
【図５】
2015146540.tif 000005
【図６】
2015146540.tif 000006
【図７】
2015146540.tif 000007
【図２】
2015146540.tif 000008
【図３】
2015146540.tif 000009